【手続補正書】
【提出日】平成19年4月26日(2007.4.26)
【手続補正１】
【補正対象書類名】明細書
【補正対象項目名】特許請求の範囲
【補正方法】変更
【補正の内容】
【特許請求の範囲】
【請求項１】  車両の現在位置を検出しながら、予め設定される経路に基づいて車両の走行を案内し、案内の際に、音声を用いる音声案内付ナビゲーション装置において、
音声案内について、利用者からの要求を受付けるユーザリクエスト手段と、
ユーザリクエスト手段への要求に応じて発生すべき出力音声フレーズを、ユーザリクエスト手段への要求の有無にかかわらず、車両の現在位置と経路との間での予め定める規則に従って作成するリクエスト音声作成手段と、
車両の現在位置が経路に沿って予め定められる案内地点に接近するときに、予め定める規則に従って自動的に発生すべき出力音声フレーズを作成する自動音声作成手段と、
自動音声作成手段によって出力音声フレーズが作成されるとき、該出力音声フレーズを用いて音声案内を行い、利用者からユーザリクエスト手段に要求があるとき、リクエスト音声作成手段によって作成されている出力音声フレーズを用いて音声案内を行う音声案内出力手段とを含むことを特徴とする音声案内付ナビゲーション装置。
【請求項２】  前記リクエスト音声作成手段または前記自動音声作成手段のうちの少なくとも一方は、車両の現在位置が更新されるタイミング毎に、前記予め定める規則に従って前記出力音声フレーズを作成するか否かを判断することを特徴とする請求項１記載の音声案内付ナビゲーション装置。
【請求項３】  前記リクエスト音声作成手段または前記自動音声作成手段のうちの少なくとも一方は、車両が走行中であることを検知し、かつ前記経路に関して、残距離が更新されるタイミング毎に、前記予め定める規則に従って、前記出力音声フレーズを作成するか否かを判断することを特徴とする請求項１記載の音声案内付ナビゲーション装置。
【請求項４】  前記リクエスト音声作成手段または前記自動音声作成手段のうちの少なくとも一方は、車両が走行中であることを検知し、かつ予め定める一定時間が経過する毎に、前記予め定める規則に従って前記音声出力フレーズを作成するか否かを判断することを特徴とする請求項１記載の音声案内付ナビゲーション装置。
【請求項５】  前記リクエスト音声作成手段は、前記経路で車両の進行方向の前方についての情報を案内する出力音声フレーズを作成し、
前記自動音声作成手段は、車両の運転操作を案内する出力音声フレーズを作成することを特徴とする請求項１〜４のいずれかに記載の音声案内付ナビゲーション装置。
【請求項６】  前記リクエスト音声作成手段は、前記自動音声作成手段が前記案内地点に接近して自動的に出力音声フレーズを作成する経路の範囲内では、自動的に作成される出力音声フレーズの内容を、車両の現在位置に対応して変更した出力音声フレーズを作成することを特徴とする請求項１〜５のいずれかに記載の音声案内付ナビゲーション装置。
【請求項７】  車両の現在位置を検出しながら、予め設定される経路に基づいて車両の走行を案内し、案内の際に、音声を用いる音声案内付ナビゲーション装置において、
音声案内について、利用者からの要求を受付けるユーザリクエスト手段と、
ユーザリクエスト手段への要求に応じて発生すべき出力音声フレーズを、ユーザリクエスト手段への要求の有無にかかわらず、予め定める規則に従って作成するリクエスト音声作成手段と、
利用者からユーザリクエスト手段に要求があるとき、リクエスト音声作成手段によって作成されている出力音声フレーズを用いて音声案内を行う音声案内出力手段とを含むことを特徴とする音声案内付ナビゲーション装置。
【手続補正２】
【補正対象書類名】明細書
【補正対象項目名】０００８
【補正方法】変更
【補正の内容】
【０００８】
本発明は、車両の現在位置を検出しながら、予め設定される経路に基づいて車両の走行を案内し、案内の際に、音声を用いる音声案内付ナビゲーション装置において、
音声案内について、利用者からの要求を受付けるユーザリクエスト手段と、
ユーザリクエスト手段への要求に応じて発生すべき出力音声フレーズを、ユーザリクエスト手段への要求の有無にかかわらず、車両の現在位置と経路との間での予め定める規則に従って作成するリクエスト音声作成手段と、
車両の現在位置が経路に沿って予め定められる案内地点に接近するときに、予め定める規則に従って自動的に発生すべき出力音声フレーズを作成する自動音声作成手段と、
自動音声作成手段によって出力音声フレーズが作成されるとき、該出力音声フレーズを用いて音声案内を行い、利用者からユーザリクエスト手段に要求があるとき、リクエスト音声作成手段によって作成されている出力音声フレーズを用いて音声案内を行う音声案内出力手段とを含むことを特徴とする音声案内付ナビゲーション装置である。
【手続補正３】
【補正対象書類名】明細書
【補正対象項目名】００１９
【補正方法】変更
【補正の内容】
【００１９】
本発明に従えば、自動音声作成手段によって作成された出力音声フレーズで案内地点などの案内が行われた後、利用者はユーザリクエスト手段に要求を行えば、自動的に作成される出力音声フレーズの内容を、車両の現在位置に対応して変更した出力音声フレーズが作成されて、利用者に対して音声での案内が行われる。利用者が自動的に発生される音声案内を充分に聞き取れない場合であっても、ユーザリクエスト手段に要求すれば、自動的に行われた音声案内の内容を現在位置に対応して修正した内容の案内が行われるので、運転者などの利用者が必要とする案内情報を適切に音声化して提供することができる。
また本発明は、車両の現在位置を検出しながら、予め設定される経路に基づいて車両の走行を案内し、案内の際に、音声を用いる音声案内付ナビゲーション装置において、
音声案内について、利用者からの要求を受付けるユーザリクエスト手段と、
ユーザリクエスト手段への要求に応じて発生すべき出力音声フレーズを、ユーザリクエスト手段への要求の有無にかかわらず、予め定める規則に従って作成するリクエスト音声作成手段と、
利用者からユーザリクエスト手段に要求があるとき、リクエスト音声作成手段によって作成されている出力音声フレーズを用いて音声案内を行う音声案内出力手段とを含むことを特徴とする音声案内付ナビゲーション装置である。
本発明に従えば、音声案内付ナビゲーション装置は、車両の現在位置を検出しながら予め設定される経路に基づいて車両の走行を案内し、案内の際に音声を用いる。音声案内付ナビゲーション装置には、ユーザリクエスト手段と、リクエスト音声作成手段と、音声案内出力手段とが含まれる。ユーザリクエスト手段は、音声案内について利用者からの要求を受付ける。リクエスト音声作成手段は、ユーザリクエスト手段への要求に応じて発生すべき出力音声フレーズを、ユーザリクエスト手段への要求の有無に拘わらず、予め定める規則に従って作成する。音声案内出力手段は、利用者からユーザリクエスト手段に要求があるとき、リクエスト音声作成手段によって作成されている出力音声フレーズを用いて音声案内を行う。音声案内付ナビゲーション装置の利用者が、ユーザリクエスト手段に音声案内を要求すれば、要求を受付けた時点ではすでに作成されている出力音声フレーズを用いて案内が行われるので、要求が行われてから出力音声フレーズを作成する場合に比較して、迅速な案内を行うことができる。
【手続補正４】
【補正対象書類名】明細書
【補正対象項目名】００３７
【補正方法】変更
【補正の内容】
【００３７】
また本発明によれば、自動的に作成されて案内される音声情報を、ユーザリクエスト手段への利用者からの要求に基づいて、現在位置の変化に対応する部分を除いて繰返して音声化させ、内容を確認することができる。
また本発明によれば、音声案内付ナビゲーション装置の利用者が、ユーザリクエスト手段に音声案内を要求すれば、要求を受付けた時点ではすでに作成されている出力音声フレーズを用いて案内が行われるので、要求が行われてから出力音声フレーズを作成する場合に比較して、迅速な案内を行うことができる。